(57)【要約】      （修正有）【課題】比較的小型で小容量の空調装置であっても、乗りかご内部を効率的に空調して乗客に快適感を感じさせ、無駄な電力使用も低減できるようにする。【解決手段】空調装置１の制御部１０に、乗客存在期間検出手段１０１としての機能と、空調強度制御手段１０２としての機能を持たせる。乗客存在期間検出手段１０１は、戸開スイッチ６からの戸開信号とカメラ８からの出力画像信号とに基づいて、乗りかご内に乗客が存在している期間を検出する。そして、空調強度制御手段１０２が、乗りかご内に乗客が存在している乗客存在期間における空調強度を、乗りかご内に乗客が存在していない乗客非存在期間における空調強度よりも高めるように、コンプレッサモータ１１やファンモータ１２の動作を制御する。【選択図】図２
2008201497.tif 000002
【特許請求の範囲】
【請求項１】
エレベータの乗りかご内に取り付けられ、空調風の吹き出しにより乗りかご内を空調するエレベータ用空調装置において、
前記乗りかご内に乗客が存在している期間を検出する乗客存在期間検出手段と、
前記乗りかご内に乗客が存在している期間の空調強度を、前記乗りかご内に乗客が存在しない期間の空調強度よりも高めるように制御する制御手段とを備えることを特徴とするエレベータ用空調装置。
【請求項２】
前記乗客存在期間検出手段は、エレベータの戸開信号と、乗客検知装置の出力信号とに基づいて、前記乗りかご内に乗客が存在している期間を検出することを特徴とする請求項１に記載のエレベータ用空調装置。
【請求項３】
前記制御手段は、前記戸開信号により判断される乗りかごの戸開時に、空調風の向きを前記乗りかごの出入口に向ける制御をさらに行うことを特徴とする請求項２に記載のエレベータ用空調装置。
【請求項４】
前記制御手段は、前記乗客検知装置の出力信号から判断される前記乗りかご内の乗客の位置に、空調風の向きを向ける制御をさらに行うことを特徴とする請求項２又は３に記載のエレベータ用空調装置。
【請求項５】
前記制御手段は、前記乗客検出装置の出力信号から判断される前記乗りかご内の乗客の重心位置に、空調風の向きを向ける制御をさらに行うことを特徴とする請求項２又は３に記載のエレベータ用空調装置。
【請求項６】
前記乗りかご内に前記乗客検知装置として画像撮像装置が設置されており、
前記制御手段は、前記画像処理装置からの出力画像信号を処理して前記乗りかご内の乗客の位置又は乗客の重心位置を検出することを特徴とする請求項４又は５に記載のエレベータ用空調装置。
【請求項７】
前記乗りかごに前記乗客検知装置として複数の荷重センサが設置されており、
前記制御手段は、前記複数の荷重センサの出力信号を処理して前記乗りかご内の乗客の位置又は乗客の重心位置を検出することを特徴とする請求項４又は５に記載のエレベータ用空調装置。
【請求項８】
エレベータの乗りかご内に取り付けられ、空調風の吹き出しにより乗りかご内を空調するエレベータ用空調装置の制御方法であって、
前記乗りかご内に乗客が存在している期間を検出し、
前記乗りかご内に乗客が存在している期間の前記エレベータ用空調装置の空調強度を、前記乗りかご内に乗客が存在しない期間の空調強度よりも高めるように制御することを特徴とするエレベータ用空調装置の制御方法。
【請求項９】
エレベータの乗りかご内に取り付けられ、空調風の吹き出しにより乗りかご内を空調するエレベータ用空調装置において、
エレベータの戸開信号から判断される乗りかごの戸開時に、空調風の風量を一時的に高めるように制御する制御手段を備えることを特徴とするエレベータ用空調装置。
【発明の詳細な説明】
【技術分野】
【０００１】
本発明は、空調風の吹き出しによりエレベータの乗りかご内を空調するエレベータ用空調装置及びその制御方法に関する。
【背景技術】
【０００２】
従来、エレベータの乗りかごの外部に空調装置を取り付けて空調風を乗りかご内部に導入し、乗りかご内を積極的に空調することで快適性の向上を図るようにした空調機能付きエレベータが提案されている（例えば、特許文献１〜３等を参照。）。この種の空調機能付きエレベータは、通常は開発段階で空調装置の設置を前提としたレイアウト設計などが行われ、個々のエレベータごとに構造の最適化が図られている。しかしながら、既設のエレベータに対して新たに空調機能を付加しようと考えた場合には、乗りかご外部に設置された空調装置から乗りかご内部に空調風を導入するための機構などを既設のエレベータに新たに追加する必要があるため、既設のエレベータの構造によっては作業が極めて煩雑になる場合もある。また、昇降路内の環境や乗りかごの構造などによっては、乗りかごの外部に空調装置を取り付けるスペースを確保することが難しい場合もある。
【０００３】
そこで、近年では、室内外機を一体にしたコンパクトな空調装置を例えば乗りかご内の側板などに取り付けて、この空調装置から乗りかご内に空調風を直接吹き出するようにすることで、既設のエレベータに対しても簡便な作業で乗りかご内を快適にするための空調機能を適切に付加できるようにすることも検討されている。
【特許文献１】特開平５−３１９７４３号公報
【特許文献２】特開２００５−２８０９０１号公報
【特許文献３】特開２００６−１７６３２６号公報
【発明の開示】
【発明が解決しようとする課題】
【０００４】
ところで、乗りかご内の側板などに空調装置を取り付けて乗りかご内に空調風を直接吹き出すようにした場合、かご内スペースの有効利用や構造的な強度の問題などを考えると、空調装置に大型で大容量のものを用いることは難しい。このため、比較的小型の空調装置を用いることが要求されるが、その空調能力には制限があるため、効率的な空調制御が行われないと、乗りかご内の乗客が冷却感又は温暖感を感じにくくなる場合がある。乗りかご内の乗客に対して冷却感又は温暖感を確実に感じさせるには、空調装置の能力の範囲内で常に最大限の強度で空調を行うことも考えられるが、このような手法では、例えば、乗りかご内に長時間に亘って乗客がいない場合に乗りかご内が過度に空調され、乗客が乗り込んだときに冷却感又は温暖感を過度に感じてしまう場合もあり、また、無駄な電力使用量の増大を招くといった問題も生じる。
【０００５】
本発明は、以上のような実情に鑑みて創案されたものであって、比較的小型で小容量の空調装置であっても、乗りかご内部を効率的に空調して乗客に快適感を感じさせ、無駄な電力使用も低減することができるエレベータ用空調装置及びその制御方法を提供することを目的としている。
【課題を解決するための手段】
【０００６】
本発明は、エレベータの乗りかご内に取り付けられた空調装置から空調風を吹き出して乗りかご内を空調するに際し、乗りかご内に乗客が存在している期間を検出して、乗りかご内に乗客が存在している期間の空調強度を、前記乗りかご内に乗客が存在しない期間の空調強度よりも高めるように制御することで、上述した課題を解決する。
【０００７】
なお、ここで空調強度とは、空調風の温度及び風量（風速）を含む概念であり、空調強度を高めるとは、冷房時であれば空調風の温度低下及び／又は空調風の風量（風速）増加を意味し、暖房時であれば空調風の温度上昇及び／又は空調風の風量（風速）増加を意味する。
【発明の効果】
【０００８】
本発明によれば、空調装置として比較的小型で小容量のものを用いた場合であっても、乗りかご内部を効率的に空調して乗客に快適感を感じさせ、無駄な電力使用も低減することができる。
【発明を実施するための最良の形態】
【０００９】
以下、本発明の具体的な実施形態について、図面を参照しながら説明する。
【００１０】
図１は、本発明に係る空調装置１が設置されたエレベータの乗りかご２内部の様子を模式的に示す斜視図である。本発明に係る空調装置１は、室内外機一体型のコンパクトな形状に構成され、図１に示すように、乗りかご２内部の例えば出入口３と向かい合う側の側板４に取り付けられている。
【００１１】
この空調装置１は、吹き出し口１ａから空調風（冷房時であれば冷風、暖房時であれば温風）Ｗを吹き出して、乗りかご２内部の温度環境を改善し、乗客に快適感を感じさせるためのものである。特に、この空調装置１は、既設のエレベータに対して後付けで容易に設置できる構造となっている。つまり、この空調装置１を既設のエレベータに後付けで設置する場合は、乗りかご２の側板４に開口部を設け、室外機として機能する部分をこの開口部から外部に臨ませるように乗りかご２内部に空調装置１を配置して、固定部材を用いて空調装置２を側板４に固定支持するようにすればよい。このとき、空調装置１の運転時の振動が乗りかご２に伝わらないようにするために、空調装置１と固定部材との間には防振ゴムなどの防振部材を配置することが望ましい。また、空調装置１は、乗りかご２内の乗客収容スペースに影響を与えず、且つ、効率よく空調効果が得られるようにするために、想定される乗客の身長よりも若干高めの位置、例えば床板から１８５ｃｍ程度の高さに下端部が位置するように、乗りかご２内部の側板４に取り付けることが望ましい。
【００１２】
エレベータの乗りかご２には、通常、エレベータの運行制御に必要な情報を取得するための様々なセンサやスイッチが設けられている。その１つとして、乗りかご２の出入口３の扉５には、乗りかご２の戸開／戸閉状態を検出するための戸開スイッチ６が設置されている。この戸開スイッチ６は、出入口３の扉５が開いて乗りかご２が戸開状態となったときにオンして戸開信号を出力する。本発明に係る空調装置１には、この戸開スイッチ６がケーブル７を介して接続されている。そして、乗りかご２が戸開状態となると、この戸開スイッチ６からの戸開信号が空調装置１の制御部に供給されるようになっている。
【００１３】
また、エレベータの乗りかご２には、乗りかご２内に乗客が存在するか否かを検知する乗客検知装置が設けられているものも多い。この乗客検知装置としては、例えば、乗りかご２内部の天井などに設置されたカメラ８などが挙げられる。本発明に係る空調装置１には、この乗客検知装置としてのカメラ８がケーブル９を介して接続されている。そして、カメラ８で撮像された乗りかご２内の状況を表す画像が、出力画像信号として空調装置１の制御部に供給されるようになっている。
【００１４】
図２は、空調装置１の制御系の概略構成を示すブロック図である。空調装置１は、冷凍サイクルにより室内外機の熱交換器間で冷媒を循環させ、ファンの作動により導入される風を熱交換器に当てて熱交換器内部の冷媒との間の熱交換によって空調風（冷風又は温風）Ｗを作り、これを吹き出し口１ａから吹き出す構成である。したがって、冷媒を吐出するコンプレッサのモータ１１の回転数やファンモータ１２の回転数により、空調強度が決定される。これらコンプレッサモータ１１やファンモータ１２の動作は、制御部１０によって制御される。また、空調装置１の吹き出し口１ａには、空調風Ｗが吹き出される向きを決めるフラップが設けられており、このフラップの角度を変えることで空調風Ｗの向きが変更される。したがって、フラップを駆動するフラップアクチュエータ１３の動作により吹き出し口１ａから吹き出される空調風Ｗの向きが決定され、このフラップアクチュエータ１３の動作も、制御部１０によって制御される。
【００１５】
制御部１０には、本発明に関わる制御機能として、乗客存在期間検出手段１０１と、空調強度制御手段１０２と、空調風向き制御手段１０３とが設けられている。これらの各制御機能は、例えば、予めプログラミングされて制御装置１０内部に組み込まれたソフトウェアが実行されることによって実現される。上述したように、本発明に係る空調装置１には戸開スイッチ６やカメラ８が接続されているが、戸開スイッチ６からの戸開信号やカメラ８からの出力画像信号は、図２に示すように、空調装置１の制御部１０で実現される乗客存在期間検出手段１０１や空調風向き制御手段１０３に供給される。
【００１６】
乗客存在期間検出手段１０１は、戸開スイッチ６からの戸開信号と、カメラ８からの出力画像信号とに基づいて、乗りかご２内に乗客が存在している期間を検出する。具体的には、乗客存在期間検出手段１０１は、戸開スイッチ６から戸開信号が供給されたタイミングを期間の区切りとして認識する。そして、各期間ごとにカメラ８から供給される出力画像信号をもとに乗りかご２内の乗客の有無を判断することにより、乗客が存在している期間を検出する。なお、カメラ８の出力画像信号から乗客を検出する手法としては、例えば人の特徴パターンとのパターンマッチングなど、画像から人を検出する手法として一般的に知られている手法が何れも利用可能である。また、カメラ８で撮影された画像から人を検出する機能は、制御部１０の外部の機能、例えばカメラ８側の機能として実現されていてもよい。この場合には、カメラ８で撮影された画像を処理して得られた乗りかご２内の乗客の有無を示す情報が制御部１０に供給され、乗客存在期間検出手段１０１は、この乗客有無を示す情報を用いて乗りかご２内に乗客が存在している期間を検出する。
【００１７】
空調強度制御手段１０２は、乗客存在期間検出手段１０１の検出結果に応じて、乗りかご２内に乗客が存在している期間の空調強度を、乗りかご２内に乗客が存在していない期間の空調強度よりも高めるように、コンプレッサモータ１１やファンモータ１２の動作を制御する。すなわち、空調強度制御手段１０２は、乗りかご２内に乗客が存在している期間は、乗客が存在していない期間よりも、コンプレッサモータ１１の回転数を上げ、冷媒循環量を増加させて熱交換器における熱交換効率を高め、空調風Ｗの温度を冷房時であればより低い温度とし、暖房時であればより高い温度とする。また、空調強度制御手段１０２は、乗りかご２内に乗客が存在している期間は、乗客が存在していない期間よりも、ファンモータ１２の回転数を上げて、空調風Ｗの風量（風速）を増加させる。なお、これらコンプレッサモータ１１やファンモータ１２の目標回転数は、乗りかご２内に乗客が存在している期間と乗客が存在していない期間とで、それぞれ最適な値を予め決めておけばよい。また、乗りかご２内に乗客が存在している期間におけるコンプレッサモータ１１やファンモータ１２の目標回転数は、例えば乗りかご２内の乗客の人数や乗りかご２内の温度などに応じて、段階的に切替えるようにしてもよい。この場合、乗りかご２内の乗客の人数は、例えばカメラ８からの出力画像信号を処理することで判定できる。また、乗りかご２内の温度は、例えば乗りかご２に温度センサを設置してその信号を取り込むといった手法で容易に判定できる。
【００１８】
空調風向き制御手段１０３は、戸開スイッチ６からの戸開信号と、カメラ８からの出力画像信号とに基づいて、空調装置１の吹き出し口１ａから吹き出される空調風Ｗの向きが乗りかご２内部を効率的に空調する上で最適な向きとなるように、フラップアクチュエータ１３の動作を制御する。具体的には、空調風向き制御手段１０３は、戸開スイッチ６からの戸開信号により判断される乗りかご２の戸開時に、空調風Ｗの向きが乗りかご２の出入口３に向くように、フラップアクチュエータ１３の動作を制御する。また、空調風向き制御手段１０３は、乗りかご２内に乗客が乗り込んだときには、カメラ８からの出力画像信号を処理して乗りかご２内における乗客の位置を検出し、空調風Ｗの向きが乗りかご２内における乗客の位置に向くように、フラップアクチュエータ１３の動作を制御する。
【００１９】
なお、乗りかご２内に複数の乗客が存在する場合には、空調風向き制御手段１０３は、例えば、カメラ８からの出力画像信号を処理して乗りかご２内における複数の乗客の重心位置を検出し、空調風Ｗの向きが乗りかご２内における複数の乗客の重心位置に向くように、フラップアクチュエータ１３の動作を制御するようにすればよい。また、乗りかご２内における複数の乗客の位置をそれぞれ検出し、空調風Ｗが各乗客の位置に所定時間ごとに順番に向くように、フラップアクチュエータ１３の動作を制御するようにしてもよい。さらに、乗りかご２内の乗客の数が多い場合には、空調風Ｗの向きをスイングさせるように、フラップアクチュエータ１３の動作を制御するようにしてもよい。なお、カメラ８で撮影された画像から乗りかご２内の乗客の位置や複数の乗客の重心位置を検出する機能は、制御部１０の外部の機能、例えばカメラ８側の機能として実現されていてもよい。この場合には、カメラ８で撮影された画像を処理して得られた乗りかご２内の乗客の位置或いは重心位置を示す情報が制御部１０に供給され、空調風向き制御手段１０３は、この乗客の位置或いは重心位置を示す情報を用いてフラップアクチュエータ１３の動作を制御する。
【００２０】
ここで、エレベータの具体的な運行シーンとして、乗客がいない状態で建物の１階に待機している乗りかご２が、３階でのホール呼びに応じて３階に移動して１人の乗客を乗せた後、５階でのホール呼びに応じて５階に移動して３人の乗客を乗せ、さらに１０階に移動して全ての乗客を降ろすといったシーンを例に挙げて、このようなシーンにおける乗りかご２内の空調装置１の動作の一例について、具体的に説明する。
【００２１】
まず、乗りかご２が１階で待機状態にあるときは、乗りかご２内の空調装置１に戸開スイッチ６からの戸開信号は供給されず、また、カメラ８からの出力画像信号を処理しても乗客は検出されない。したがって、制御部１０の乗客存在期間検出手段１０１は、現在の期間が、乗りかご２内に乗客が存在しない乗客非存在期間であると判断する。そして、この乗客存在期間検出手段１０１の判断結果に応じて、制御部１０の空調強度制御手段１０２が、空調強度が低消費電力を目的とした第１のレベルとなるように、コンプレッサモータ１１やファンモータ１２の動作を制御する。また、制御部１０の空調風向き制御手段１０３は、吹き出し口１ａからの空調風Ｗの向きが所定の基準位置、例えば乗りかご２の中央部などに向くように、フラップアクチュエータ１３の動作を制御する。これにより、乗りかご２が１階で待機状態にあるときは、例えば図３に示すように、空調装置１から弱又は中程度の強度の空調風Ｗが乗りかご２内の所定の基準位置に向かって吹き出される。なお、図中の空調風Ｗを示す矢印の大きさは、空調強度を表している。
【００２２】
次に、乗りかご２が３階でのホール呼びに応じて３階に移動し、乗りかご２の出入口３の扉５が開かれると、空調装置１に戸開スイッチ６からの戸開信号が供給される。空調装置１の制御部１０における空調風向き制御手段１０３は、この戸開スイッチ６からの戸開信号を受けて、空調風Ｗの向きが乗りかご２の出入口３に向くように、フラップアクチュエータ１３の動作を制御する。これにより、乗りかご２が３階に移動して出入口３の扉５が開かれたときには、例えば図４に示すように、空調装置１からの空調風Ｗの向きが所定の基準位置から出入口３の方向へと切り替えられる。
【００２３】
また、乗りかご２が３階に移動して出入口３の扉５が開かれた際、制御部１０の乗客存在期間検出手段１０１は、戸開スイッチ６から戸開信号を受けて、期間の区切りを認識する。その後、乗りかご２内に１人の乗客Ｐ０が乗り込んで、カメラ８で撮影された画像から乗客Ｐ０が検出されると、制御部１０の乗客存在期間検出手段１０１は、現在の期間が乗客存在期間であると判断する。そして、この乗客存在期間検出手段１０１の判断結果に応じて、制御部１０の空調強度制御手段１０２が、空調強度が上述した第１のレベルよりも高い第２のレベルとなるように、コンプレッサモータ１１やファンモータ１２の動作を制御する。また、制御部１０の空調風向き制御手段１０３は、カメラ８で撮影された画像をもとに乗りかご２内の乗客Ｐ０の位置を検出し、空調風Ｗが乗客Ｐの位置に向くように、フラップアクチュエータ１３の動作を制御する。これにより、乗りかご２が３階で１人の乗客Ｐ０を乗せた後は、例えば図５に示すように、空調装置１から強い空調強度の空調風Ｗが乗りかご２内における乗客Ｐ０の位置に向かって吹き出される。
【００２４】
次に、乗りかご２が５階でのホール呼びに応じて５階に移動し、乗りかご２の出入口３の扉５が開かれると、空調装置１に戸開スイッチ６からの戸開信号が供給される。制御部１０の空調風向き制御手段１０３は、この戸開スイッチ６からの戸開信号を受けて、空調風Ｗの向きが乗りかご２の出入口３に向くように、フラップアクチュエータ１３の動作を制御する。これにより、乗りかご２が５階に移動して出入口３の扉５が開かれたときには、例えば図６に示すように、空調装置１からの空調風Ｗの向きが乗りかご２内における乗客Ｐ０の位置から出入口３の方向へと切り替えられる。
【００２５】
また、乗りかご２が５階に移動して出入口３の扉５が開かれた際、制御部１０の乗客存在期間検出手段１０１は、戸開スイッチ６から戸開信号を受けて、期間の区切りを認識する。その後、乗りかご２内に３人の乗客Ｐ１〜Ｐ３が乗り込んで、カメラ８で撮影された画像から乗客Ｐ０及び乗客Ｐ１〜Ｐ３が検出されると、制御部１０の乗客存在期間検出手段１０１は、現在の期間が乗客存在期間であると判断する。そして、この乗客存在期間検出手段１０１の判断結果に応じて、制御部１０の空調強度制御手段１０２が、第２のレベルの空調強度が維持されるように、コンプレッサモータ１１やファンモータ１２の動作を制御する。また、制御部１０の空調風向き制御手段１０３は、カメラ８で撮影された画像をもとに乗りかご２内における複数の乗客Ｐ０，Ｐ１，Ｐ２，Ｐ３の重心位置を検出し、空調風Ｗが乗客Ｐ０〜Ｐ３の重心位置に向くように、フラップアクチュエータ１３の動作を制御する。これにより、乗りかご２が５階で３人の乗客Ｐ１〜Ｐ３を乗せた後は、例えば図７に示すように、空調装置１から強い空調強度の空調風Ｗが乗りかご２内における複数の乗客Ｐ０〜Ｐ３の重心位置に向かって吹き出される。なお、制御部１０の空調風向き制御手段１０３は、空調風Ｗが各乗客Ｐ０〜Ｐ３の位置に所定時間ごとに順番に向くように、フラップアクチュエータ１３の動作を制御するようにしてもよいし、また、空調風Ｗの向きがスイングするように、フラップアクチュエータ１３の動作を制御するようにしてもよい。
【００２６】
次に、乗りかご２が乗客Ｐ０〜Ｐ３のかご呼びに応じて１０階に移動し、乗りかご２の出入口３の扉５が開かれると、空調装置１に戸開スイッチ６からの戸開信号が供給される。制御部１０の空調風向き制御手段１０３は、この戸開スイッチ６からの戸開信号を受けて、空調風Ｗの向きが乗りかご２の出入口３に向くように、フラップアクチュエータ１３の動作を制御する。これにより、乗りかご２が１０階に移動して出入口３の扉５が開かれたときには、例えば図８に示すように、空調装置１からの空調風Ｗの向きが乗りかご２内における乗客Ｐ０〜Ｐ３の重心位置から出入口３の方向へと切り替えられる。
【００２７】
また、乗りかご２が１０階に移動して出入口３の扉５が開かれた際、制御部１０の乗客存在期間検出手段１０１は、戸開スイッチ６から戸開信号を受けて、期間の区切りを認識する。その後、乗りかご２内の乗客Ｐ０〜Ｐ３が乗りかご２から降りて、カメラ８で撮影された画像から乗客Ｐ０〜Ｐ３が検出されなくなると、制御部１０の乗客存在期間検出手段１０１は、現在の期間が、乗りかご２内に乗客が存在しない乗客非存在期間であると判断する。そして、この乗客存在期間検出手段１０１の判断結果に応じて、制御部１０の空調強度制御手段１０２が、空調強度が低消費電力を目的とした第１のレベルとなるように、コンプレッサモータ１１やファンモータ１２の動作を制御する。また、制御部１０の空調風向き制御手段１０３は、吹き出し口１ａからの空調風Ｗの向きが所定の基準位置に向くように、フラップアクチュエータ１３の動作を制御する。これにより、乗りかご２が１０階に移動して乗客Ｐ０〜Ｐ３を降ろした後は、図３に示したように、空調装置１から弱又は中程度の強度の空調風Ｗが乗りかご２内の所定の基準位置に向かって吹き出される状態（乗りかご２が１階で待機状態にあったときと同様の状態）に復帰し、その後、乗りかご２内に新たに乗客が乗り込むまで、その状態が継続される。
【００２８】
以上、具体的な例を挙げながら詳細に説明したように、本発明に係る空調装置１では、制御部１０の乗客存在期間検出手段１０１が、戸開スイッチ６からの戸開信号とカメラ８からの出力画像信号とに基づいて乗りかご２内に乗客が存在している期間を検出し、空調強度制御手段１０２が、乗りかご２内に乗客が存在している乗客存在期間における空調強度を、乗りかご２内に乗客が存在していない乗客非存在期間における空調強度よりも高めるように、コンプレッサモータ１１やファンモータ１２の動作を制御するようにしている。したがって、この本発明に係る空調装置１によれば、空調能力がさほど大きくない比較的小型のものであっても、乗りかご２内部を効率よく空調し、乗りかご２内の乗客に対して効果的に冷却感又は温暖感を与えて快適感を感じさせることができ、また、無駄な電力使用も低減することができる。
【００２９】
さらに、本発明に係る空調装置１では、制御部１０の空調風向き制御手段１０３が、乗りかご２の戸開時には空調風Ｗの向きが乗りかご２の出入口３の方向に向くように、フラップアクチュエータ１３の動作を制御するようにしているので、乗りかご２に乗り込もうとしている乗客に対して、より効果的に且つ効率よく快適感を感じさせることができる。
【００３０】
さらに、本発明に係る空調装置１では、乗りかご２内に乗客が乗り込んだ後は、制御部１０の空調風向き制御手段１０３が、空調風Ｗの向きを乗客の位置或いは複数の乗客の重心位置に向けるように、フラップアクチュエータ１３の動作を制御するようにしているので、乗りかご２内に乗り込んだ乗客に対して、より効果的に且つ効率よく快適感を感じさせることができる。
【００３１】
なお、以上説明した空調装置１は、本発明の一適用例を例示したものであり、本発明の趣旨を逸脱しない範囲で様々な変形が可能である。例えば、上述した例では、乗りかご２内に乗客が存在するか否かを検知する乗客検知装置としてカメラ８を用いているが、カメラ８に代えて、乗りかご２の積載荷重を検出するための荷重センサを乗客検知装置として利用するようにしてもよい。荷重センサは、積載荷重に応じて乗りかご２の移動速度を決定するなど、エレベータの運行制御に有用なセンサとして広く利用されているが、この荷重センサの出力信号を空調装置１の制御部１０に取り込むことによって、乗りかご２内の乗客の有無を判定することができる。また、乗りかご２に例えば複数の荷重センサを分散して設置しておけば、各荷重センサからの出力信号を処理することで、乗りかご２内で荷重が集中している箇所、つまり乗りかご２内における乗客の位置や複数の乗客の重心位置を検出することも可能となる。
【００３２】
また、乗りかご２内に乗客が存在するか否かを検知する乗客検知装置としては、カメラ８や荷重センサのほかにも、例えば赤外線センサや超音波センサなど、一般的に人体検知に用いられている各種センサ類が広く利用可能である。
【００３３】
また、以上説明した空調装置１では、制御部１０の空調強度制御手段１０２が、乗りかご２内に乗客が存在している期間の空調強度を高めるように制御しているが、戸開スイッチ６からの戸開信号により判断される乗りかごの戸開時に、ファンモータ１２の回転数を一時的に上げて、空調風Ｗの風量（風速）を一時的に増加させる制御を行うようにしてもよい。この場合には、空調装置１に対して乗りかご２内を効果的に換気する機能も付加することができる。
【図面の簡単な説明】
【００３４】
【図１】本発明に係る空調装置が設置されたエレベータの乗りかご内部の様子を模式的に示す斜視図。
【図２】本発明に係る空調装置の制御系の概略構成を示すブロック図。
【図３】本発明に係る空調装置の動作の一例を説明する図であり、乗りかごが待機状態にあるときの空調装置の動作を模式的に示す平面図。
【図４】本発明に係る空調装置の動作の一例を説明する図であり、乗りかごの戸開時における空調装置の動作を模式的に示す平面図。
【図５】本発明に係る空調装置の動作の一例を説明する図であり、乗りかご内に１人の乗客が乗り込んだときの空調装置の動作を模式的に示す平面図。
【図６】本発明に係る空調装置の動作の一例を説明する図であり、乗りかごの戸開時における空調装置の動作を模式的に示す平面図。
【図７】本発明に係る空調装置の動作の一例を説明する図であり、乗りかご内に複数の乗客が存在するときの空調装置の動作を模式的に示す平面図。
【図８】本発明に係る空調装置の動作の一例を説明する図であり、乗りかごの戸開時における空調装置の動作を模式的に示す平面図。
【符号の説明】
【００３５】
１  空調装置
２  乗りかご
３  出入口
５  扉
６  戸開スイッチ
８  カメラ
１０  制御部
１１  コンプレッサモータ
１２  ファンモータ
１３  フラップアクチュエータ
１０１  乗客存在期間検出手段
１０２  空調強度制御手段
１０３  空調風向き制御手段
【図１】
2008201497.tif 000003
【図２】
2008201497.tif 000004
【図３】
2008201497.tif 000005
【図４】
2008201497.tif 000006
【図５】
2008201497.tif 000007
【図６】
2008201497.tif 000008
【図７】
2008201497.tif 000009
【図８】
2008201497.tif 000010